(57)【要約】【課題】一般的に利用されているアナログ式のタッチパネル装置において、複数点が同時に押された場合にも、それぞれの複数点を個々に認識することができる表示器及び作画プログラムを提供する。【解決手段】制御部５に、スイッチＯＮ判定部１２と、判定用スイッチデータ生成部１３と、で構成される複数点押し処理部１１を備え、判定用スイッチデータ生成部１３において複数点押しスイッチに対応した中点データＤを生成し、スイッチＯＮ判定部１２に格納される。スイッチＯＮ判定部１２へスイッチが押された情報Ｅの入力がされると、予め格納されている中点データＤと受け取ったスイッチが押された情報Ｅが一致しているかを判定することによって、当該複数のスイッチが同時に押下された場合の処理を実行できるようになした。【選択図】図５
2008003888.tif 000002
【特許請求の範囲】
【請求項１】
操作入力を認識するスイッチ部と、様々なスイッチオブジェクトを表示する表示部と、を備えたタッチパネルを有し、タッチパネルの画面構成データやスイッチオブジェクトのタッチパネル上の配置やスイッチオブジェクトに関するデータを格納するメモリ部と、外部機器へ制御信号を伝送する通信用インターフェース部と、スイッチ部と表示部とメモリ部と通信用インターフェース部を統括的に制御する制御部と、で構成され、表示部で表示したスイッチオブジェクトが押された場合に、スイッチ部で押されたことを認識し、制御部で対応する制御を実行し、通信用インターフェース部で外部機器へ対応する制御信号を伝送する表示器において、タッチパネル上に配置された複数のスイッチオブジェクトが押された場合に、スイッチ部が押された複数のスイッチオブジェクトの中点が押されたこととして認識し、制御部がスイッチ部から入力される中点のデータより押された複数のスイッチオブジェクトを認識するようになしたことを特徴とする表示器。
【請求項２】
メモリ部に、前記中点のデータより押されたことを認識されるスイッチオブジェクトとする複数点押しスイッチであるか、または複数点押しスイッチではない通常スイッチであるか、をそれぞれのスイッチオブジェクトに対して選択する機能を設けたことを特徴とする請求項１記載の表示器。
【請求項３】
請求項２記載の表示器におけるタッチパネルの画面構成と、スイッチオブジェクトのタッチパネル上の配置と、配置したそれぞれのスイッチオブジェクトに対する複数点押しスイッチ若しくは通常スイッチであることの選択と、をメモリ部に設定し、格納させることを特徴とする作画プログラム。
【請求項４】
複数の複数点押しスイッチの中点の位置には他のスイッチオブジェクトを配置することができないようになしたことを特徴とする請求項３記載の作画プログラム。
【請求項５】
制御部は、複数点押しスイッチの押される順番を判別するものであることを特徴とする請求項２記載の表示器。
【請求項６】
制御部は、複数の複数点押しスイッチが継続して押されている状態から、該複数点スイッチのうちの任意の複数点押しスイッチを離した場合に、離した複数点押しスイッチを認識するものであることを特徴とする請求項２又は５記載の表示器。
【発明の詳細な説明】
【技術分野】
【０００１】
本願発明は、アナログ式のタッチパネル装置を用いた表示器に関し、特に、複数点を同時に押した場合に対応した機能を搭載した表示器および作画プログラムに関する。
【背景技術】
【０００２】
一般的に利用されているアナログ式のタッチパネル装置では、接触点からパネル周辺に配設された各電極部までの抵抗値に基づいて押下点を検出しているため、複数の箇所が同時に押されて接触した場合は、各接触点の平均の抵抗値として検出されてしまう。よって、複数の点が同時に押されても各接触点の中点が検知されてしまい、中点の箇所を押された動作を実行してしまうことがある。
【０００３】
そこで、従来から、例えば特開平０８−０８３１４４号公報（特許文献１）に示されるように、Ｘ方向及びＹ方向にそれぞれ複数のタッチキーを有するタッチパネルと、タッチパネルの上面及び下面の何れか一方に配設され複数の表示ドットを有する表示器とからなるタッチパネル装置において、Ｘ方向及びＹ方向の各タッチキーが押されたことを各個に検出する検出手段と、検出手段の検出出力に応じた各タッチキーのＸ方向の各座標値及びＹ方向の各座標値を算出する算出手段とを設けたことによって、複数点が押されたことを各個に検出することができるとされている。
【０００４】
また、例えば特開２０００−０１０７３３号公報（特許文献２）に示されるように、複数点は全く同時に押されることはないとして、操作者が複数点に同時に触れた時でも、その時間差を判断できる程度である約１０msec間隔で動作しているプログラムを用いることによって、先に押された箇所を認識し、対応するプログラムの処理を実行することできるとされている。
【特許文献１】特開平０８−０８３１４４号公報
【特許文献２】特開２０００−０１０７３３号公報
【発明の開示】
【発明が解決しようとする課題】
【０００５】
しかしながら、上記従来例である特許文献１のタッチパネルにあっては、Ｘ方向及びＹ方向にそれぞれ複数のタッチキーを有するタッチパネルが必要であって、一般的に利用されているアナログ式のタッチパネル装置では対応することができない。また、特許文献２のプログラムを用いた場合には、最初に触れられた接触点を認識することはできるが、押された複数点をそれぞれ認識させることができない。
【０００６】
本願発明は、上記背景技術に鑑みて発明されたものであり、その課題は、一般的に利用されているアナログ式のタッチパネル装置において、新たに複数のタッチキーを備えることなく、複数点が同時に押された場合にも、それぞれの接触点を個々に認識することができるアナログ式のタッチパネル装置を用いた表示器を提供することである。
【課題を解決するための手段】
【０００７】
上記課題を解決するために、本願請求項１記載の発明では、操作入力を認識するスイッチ部と、様々なスイッチオブジェクトを表示する表示部と、を備えたタッチパネルを有し、タッチパネルの画面構成データやスイッチオブジェクトに関するデータを格納するメモリ部と、外部機器へ制御信号を伝送する通信用インターフェース部と、スイッチ部と表示部とメモリ部と通信用インターフェース部を統括的に制御する制御部と、で構成され、タッチパネル上に配置されたスイッチオブジェクトに対する操作入力に従って、外部機器へ制御信号を伝送する表示器において、タッチパネル上に配置された複数のスイッチオブジェクトが押された場合に、押された複数のスイッチオブジェクトの中点が押されたこととして認識するスイッチ部と、スイッチ部から入力される中点のデータより押された複数のスイッチオブジェクトを認識する制御部と、を設けたことを特徴としている。
【０００８】
本願請求項２記載の発明では、上記請求項１記載の表示器において、メモリ部に、前記中点のデータより押されたことを認識されるスイッチオブジェクトとする複数点押しスイッチであるか、または複数点押しスイッチではない通常スイッチであるか、をそれぞれのスイッチオブジェクトに対して設定する機能を設けたことを特徴としている。
【０００９】
本願請求項３記載の発明では、請求項２記載のタッチパネルの画面構成を作成し、スイッチオブジェクトをタッチパネル上に配置し、配置したそれぞれのスイッチオブジェクトに対して複数点押しスイッチ若しくは通常スイッチであることの設定を行うことを特徴としている。
【００１０】
本願請求項４記載の発明では、上記請求項３記載の作画プログラムにおいて、複数の複数点押しスイッチの中点の位置には他のスイッチオブジェクトを配置することができないようになしたことを特徴としている。
【００１１】
本願請求項５記載の発明では、上記請求項２記載の表示器において、制御部は、複数点押しスイッチの押される順番を判別するものであることを特徴としている。
【００１２】
本願請求項６記載の発明では、上記請求項２又は５記載の表示器において、制御部は、複数の複数点押しスイッチが継続して押されている状態から、該複数点スイッチのうちの任意の複数点押しスイッチを離した場合に、離した複数点押しスイッチを認識するものであることを特徴としている。
【発明の効果】
【００１３】
本願請求項１記載の発明の表示器においては、一般的に用いられるアナログ式のタッチパネルで複数のスイッチオブジェクトが押された場合においても、スイッチ部によって検出される中点より押された複数のスイッチオブジェクトを制御部で認識することによって、対応した制御を実行し、外部機器へ制御信号を伝送することができる。
【００１４】
本願請求項２記載の発明の表示器においては、複数点押しスイッチ及び通常スイッチを設定することによって、複数の複数点押しスイッチを押した場合、一の複数点押しスイッチを押した場合及び一の通常スイッチを押した場合によって、それぞれに対応した制御処理を設定することが可能となり、多種多様の処理内容を実現できる。
【００１５】
本願請求項３記載の発明の作画プログラムにおいては、複数点押しスイッチの作成及びタッチパネル上への配置ができることによって、複数点押しスイッチを使用できる様々な種類のタッチパネルの提供ができる。
【００１６】
本願請求項４記載の発明の作画プログラムにおいては、複数の複数点押しスイッチの中点の位置に他のスイッチオブジェクトの配置ができないようにすることによって、中点位置に配置されたスイッチオブジェクトを押したことによる複数の複数点押しスイッチを押されたとの誤動作を予め防止することができる。
【００１７】
本願請求項５記載の発明の表示器においては、特に、複数の複数点押しスイッチを順次に押していった場合に対して、押した順序に対応した制御処理を設定することが可能となり、多種多様の処理内容を実現できる。
【００１８】
本願請求項６記載の発明の表示器においては、特に、複数の複数点押しスイッチを押している状態より、任意の複数点押しスイッチを離したことに対して、離した複数点スイッチに対応した制御処理を設定することが可能となり、多種多様の処理内容を実現できる。
【発明を実施するための最良の形態】
【００１９】
図１〜１２は、本願発明の第１の実施形態である表示器及び作画プログラムを示している。図１に示すように、表示器Ｘは、操作入力を認識するスイッチ部１と、様々なスイッチオブジェクトを表示する表示部２と、を備えたタッチパネル６を有し、スイッチオブジェクトに関するデータを格納するメモリ部３と、外部機器（図示せず）へ制御信号を伝送する通信用インターフェース部４と、スイッチ部１と表示部２とメモリ部３及び通信用インターフェース部４を統括的に制御する制御部５と、で構成され、タッチパネル６上に配置されたスイッチオブジェクトの操作入力に従って、外部機器（図示せず）へ制御信号を伝送する。図２に示すように、タッチパネル６上にはスイッチオブジェクトＡが配置され、スイッチオブジェクトＡの表示されている箇所を押すことで行う操作入力に従って、外部機器（図示せず）へ制御信号を、通信用インターフェース４を通じて伝送することができる。図３に示したように、タッチパネル上に配置された、複数点押しスイッチＡａが押された場合に、押された複数点押しスイッチＡａの中点Ｂが押されたこととして認識するスイッチ部１と、スイッチ部１から入力される中点Ｂのデータより押された複数点押しスイッチＡａを認識する制御部５が設けられている。
【００２０】
さらに、図４に示すように、メモリ部３に、前記中点Ｂのデータより押されたことを認識されるスイッチオブジェクトＡとする複数点押しスイッチＡａであるか、または複数点押しスイッチＡａではない通常スイッチＡｂであるか、をそれぞれのスイッチオブジェクトのデータＣに対して設定する機能を設けたことを特徴
また、図１２に示すように、表示器Ｘの画面構成を作画する作画プログラムによって、スイッチオブジェクトＡをタッチパネル上に配置し、それぞれのスイッチオブジェクトＡに対して複数点押しスイッチＡａ若しくは通常スイッチＡｂとする設定を行い、さらには、タッチパネル上に配置された複数の複数点押しスイッチＡａの中点Ｂの位置には新たにスイッチオブジェクトＡを配置することができないようになしている。
【００２１】
以下、この実施形態の表示器及び作画プログラムを、より具体的詳細に説明する。図１に示すように、表示器Ｘはタッチパネルに様々なオブジェクトを表示する表示部２を備え、操作入力手段としてのタッチパネル６からなるスイッチ部１を備える。また、プログラマブルコントローラやパーソナルコンピュータのような外部装置（図示せず）との間でのデータ通信を可能とするためにＲＳ２３２ＣやＲＳ４８５などの仕様の通信用インターフェース４を備える。表示部２の画面を構成する画面データや各スイッチオブジェクトＡに関するデータがメモリ部３に格納され、メモリ部３の一部が画面記憶手段として機能する。さらに、スイッチ部１、表示部２、メモリ部３及び通信用インターフェース４を統括的に制御する制御部５が設けられている。ここで、図２に示すように、タッチパネル６上に配置されたスイッチオブジェクトＡのタッチパネル６の表面を押すことで、スイッチオブジェクトＡが押されたことをスイッチ部１で認識し、スイッチ部１より制御部５へ認識された情報が送られることで対応する種々の制御処理が実行され、外部機器（図示せず）へ制御信号を、通信用インターフェース４を通じて伝送することができる。
【００２２】
表示器Ｘは予め作画プログラムによって、画面表示の作画を行うことができ、タッチパネル６上の任意の場所にスイッチオブジェクトＡを配置することができる。図４に示すように、作画プログラムによって、メモリ部３に格納されている各スイッチデータＣ−１〜Ｎそれぞれに対して、複数点押し設定Ｆを設定することにより、複数のスイッチオブジェクトＡが押されたことを認識する処理を行う対象である複数点押しスイッチＡａとする設定を予め行うことができ、複数点押し設定Ｆの設定を行わなかった場合は通常スイッチＡｂとして処理されることになる。
【００２３】
タッチパネル６で複数点押しスイッチＡａを同時に押した場合について、例えば図３に示すように、スイッチ１（Ａａ−１）とスイッチ２（Ａａ−２）とスイッチ３（Ａａ−３）を同時に押した場合には、スイッチ１〜３の中点Ｂ−１，２，３が押されたとの認識をスイッチ部１は行い、スイッチ部１から制御部５へＢ−１，２，３が押されたことの情報が送られる。
【００２４】
そこで、図５に示すように、制御部５に、スイッチＯＮ判定部１２と、判定用スイッチデータ生成部１３と、で構成される複数点押し処理部１１を備えることによって、複数のスイッチの同時押しに対応した処理の実行を行っている。具体的には、メモリ部３より複数点押し設定Ｆが設定されているスイッチデータＣを取得し（Ｓ１）、判定用スイッチデータ生成部１３において複数の複数点押しスイッチＡａの各中点データＤを生成し、スイッチＯＮ判定部１２の判定用スイッチデータ１４としてスイッチＯＮ判定部１２に格納される（Ｓ２）。実際に複数の複数点押しスイッチＡａを押した場合の処理については、図６に示すように、スイッチＯＮ判定部１２へスイッチ部１よりスイッチが押された情報Ｅの入力がされると（Ｓ１２）、判定用スイッチデータ１４として予め格納されている中点データＤと受け取ったスイッチが押された情報Ｅが一致しているかを判定する（Ｓ１３）。一致している場合には、該当する複数の複数点押しスイッチＡａが押されたことを認識して、複数の複数点押しスイッチＡａが押された場合の処理を実行し（Ｓ１４）、一致していない場合には、スイッチオブジェクトＡの入力待ちの状態（Ｓ１１）となる。
【００２５】
しかし、複数の複数点押しスイッチＡａは全くの同時に押されない場合が考えられ、上記の処理では該当する全ての複数点押しスイッチＡａが押される前に処理の実行を行ってしまうことで、該当する中点データＤが存在しないと判断する場合や、誤った中点データＤと情報が一致してしまう場合などがあり、誤った制御が実行される問題が発生しうる。そこで、全くの同時に押されない場合の処理を備えることによって、この問題点を解決することが可能である。
【００２６】
以下、この問題点を解決するための処理を図７〜１１に基づいて説明する。図７に示すように、制御部５に、スイッチＯＮ判定部１２と、判定用スイッチデータ生成部１３と、複数点ＯＮ記憶部１６を備えたスイッチＯＮ記憶部１５と、で構成される複数点押し処理部１１を備えることによって、複数の複数点押しスイッチＡａを一点ずつ押した場合に対応した処理の実行を行っている。スイッチが押された情報Ｅの入力待ちの状態では、判定用スイッチデータ１４として複数点押しスイッチ１〜Ｎのデータ（Ｃ−１〜Ｃ−Ｎ）が格納されている。複数点押しスイッチＡａが押された時に、スイッチ部１より受け取ったスイッチが押された情報Ｅと判定用スイッチデータ１４と照合を行い（Ｓ３）、複数点押しスイッチＡａに該当するか否かを判定する（図１１  Ｓ２１）。複数点押しスイッチＡａに該当しない場合には、通常スイッチＡｂが押された処理を実行することとなる（図１１  Ｓ２２）。一方、複数点押しスイッチＡａに該当する場合には、例えばスイッチ１（Ａａ−１）が該当する場合、図８に示すように、判定用スイッチデータ生成部において、スイッチ１（Ａａ−１）と他の複数点押しスイッチＡａとの中点データＤ−１，２〜Ｄ−１，Ｎを生成し、判定用スイッチデータ１４としてスイッチＯＮ判定部１２に格納され、併せて、複数点ＯＮ記憶部１６にスイッチ１データ（Ｃ−１）が記憶される。次に、他の複数点押しスイッチＡａが押されるまで、既に押されたスイッチ１（Ａａ−１）が押され続けているか否かの判断を行ない（図１１  Ｓ２３）、他の複数点押しスイッチＡａが押されたか否かの判断を行う（図１１  Ｓ２４）。ここで、例えば次にスイッチ２（Ａａ−２）が押された場合には、スイッチ部１より受け取ったスイッチが押された情報Ｅは判定用スイッチデータ１４のスイッチ１，２中点データＤ−１と一致するため、スイッチ２（Ａａ−２）が押されたことをスイッチＯＮ判定部１２において判定することができる。さらに図９に示すように、判定用スイッチデータ生成部１３によってスイッチ１とスイッチ２と他の複数点押しスイッチＡａとの中点データＤを生成し、判定用スイッチデータ１４としてスイッチＯＮ判定部１２に格納され、併せて、複数点ＯＮ記憶部１６にスイッチ２データ（Ｃ−２）が記憶される。以上の処理を繰り返し、図１０に示すように、該当する全ての複数点押しスイッチＡａのスイッチデータ（Ｃ−１〜N）が複数点ＯＮ記憶部１６に記憶された場合に、全ての複数点押しスイッチＡａが押されたと判断し（図１１  Ｓ２５）、該当する複数の複数点押しスイッチＡａを押した場合の対応した処理を実行することとなる（図１１  Ｓ２６）。
【００２７】
また、図１２に示すように、例えば、複数点押しスイッチ１〜３（Ａａ−１〜３）の中点Ｂ−１，２，３に該当する位置に、他のスイッチ４（Ａ−４）の配置が可能であるとすると、スイッチ４（Ａ−４）の位置を押した場合に、スイッチ１〜３（Ａ−１〜３）を同時に押したのか、スイッチ４（Ａ−４）を押したのか、の判断ができないといった問題が発生する。そこで、作画プログラムによって、複数の複数点押しスイッチＡａの中点Ｂの位置に他のスイッチオブジェクトＡを配置しようとすると警告を発することで、配置できないことの注意を促すことができる。
【００２８】
したがって、この実施形態の表示器及び作画プログラムにおいては、一般的に用いられるアナログ式のタッチパネル６で複数のスイッチオブジェクトＡを押された場合においても、検出される中点Ｂより押された複数の複数点押しスイッチＡａを制御部５で認識することによって、対応した制御を実行し、外部機器（図示せず）へ制御信号を伝送することができる。
【００２９】
しかも、複数点押しスイッチＡａ及び通常スイッチＡｂを予め設定することによって、複数の複数点押しスイッチＡａを押した場合、一の複数点押しスイッチＡａを押した場合及び一の通常スイッチＡｂを押した場合によって、それぞれに対応した制御処理を設定することが可能となり、多種多様の処理内容を実現できる。
【００３０】
また、作画プログラムによって、複数点押しスイッチＡａの作成及びタッチパネル上への配置を可能とすることで、複数点押しスイッチＡａを使用できる様々な種類のタッチパネルの提供ができる。
【００３１】
さらに、複数の複数点押しスイッチＡａの中点Ｂの位置に他のスイッチＡの配置ができないようにすることによって、中点Ｂの位置に配置されたスイッチオブジェクトＡを押した場合に、複数の複数点押しスイッチＡａを押された、との誤動作を予め防止することができる。
【００３２】
図１３及び１４は、本願発明の第２の実施形態である表示器を示している。ここでは、上記第１の実施形態と相違する事項についてのみ説明し、その他の事項（構成、作用効果等）については、上記第１の実施形態と同様であるのでその説明を省略する。この実施形態である表示器Ｘには、複数点押しスイッチＡａの押される順番を判別する制御部５が設けられている。
【００３３】
以下、この実施形態の表示器を、より具体的詳細に説明する。図１３に示すように、制御部５には、スイッチＯＮ判定部１２と、判定用スイッチデータ生成部１３と、複数点ＯＮ記憶部１６と押された順番記憶部１７とを備えたスイッチＯＮ記憶部１５と、押し順判定部１８と、で構成される複数点押し処理部１１を備えることによって、複数の複数点押しスイッチＡａを順次に押していくことに対応した処理の実行を行っている。具体的には、複数点押しスイッチＡａを順次に押していく場合に、押された順番記憶部１７に押されたスイッチの順番が記憶されていく（図１４  Ｓ３１）。全ての複数点押しスイッチＡａのスイッチデータ（Ｃ−１〜N）が複数点ＯＮ記憶部１６に記憶された場合に、全ての複数点押しスイッチＡａが押されたと判断される（図１４  Ｓ３２）。押された順番記憶部１７から押された順番データＧを押し順判定部１８が取得し（Ｓ４）、押し順判定部１８に格納されている押し順データ（Ｈ−１〜Ｍ）との照合を行うことによって（Ｓ５）、予め設定されている順番通りに複数点押しスイッチＡａが押されたか否かを判断する（図１４  Ｓ３３）。設定された順番通りに押されている場合には、対応する処理を実行することとなる（図１４  Ｓ３４）。
【００３４】
したがって、この実施形態の表示器においては、複数の複数点押しスイッチＡａを順次に押していった場合に対して、押した順序に対応した制御処理を設定することが可能となり、多種多様の処理内容を実現できる。
【００３５】
図１５は、本願発明の第３の実施形態である表示器を示している。ここでは、上記第１及び第２の実施形態と相違する事項についてのみ説明し、その他の事項（構成、作用効果等）については、上記第１及び第２の実施形態と同様であるのでその説明を省略する。この実施形態である表示器Ｘには、複数の複数点押しスイッチＡａが押されている状態より、押されている任意の複数点押しスイッチＡａを離したことを認識する制御部５が設けられている。
【００３６】
以下、この実施形態の表示器及を、より具体的詳細に説明する。図１５に示すように、制御部５に、スイッチＯＮ判定部１２と、判定用スイッチデータ生成部１３と、で構成される複数点押し処理部１１を備えることで、複数の複数点押しスイッチＡａが継続して押されている状態から、該複数点スイッチＡａのうちの任意の複数点押しスイッチＡａを離した場合、離した複数点押しスイッチＡａを認識し、対応した処理の実行を行っている。例えば、複数点押しスイッチＡａをスイッチ１〜４とした場合に、スイッチ１〜４を押している状態よりスイッチ１のみを離した時に、予め設定された処理を実行する場合について説明する。スイッチ１〜４が押されている場合には、判定用スイッチデータ生成部１３にて生成されたスイッチ１，２，３，４の中点データＤ−１，２，３，４と、スイッチ部１より受け取ったスイッチが押された情報Ｅと、の照合が行われており（Ｓ６）、一致した場合にはスイッチ１〜４の複数点押しスイッチＡａが押されていることを認識する。ここで、スイッチ１が離されるスイッチとして設定されている場合には、判定用スイッチデータ生成部１３によって、スイッチ１〜４よりスイッチ１を除いたスイッチの中点データであるスイッチ２，３，４の中点データＤ−２，３，４が判定用スイッチデータ１４として生成される。スイッチ１が解除された場合には、受け取ったスイッチが押された情報Ｅにはスイッチ２とスイッチ３及びスイッチ４の中点が押された情報が入力され、判定用スイッチデータ１４のスイッチ２，３，４の中点データＤ−２，３，４との照合において（Ｓ７）、一致を認識することにより、スイッチ１のみが離されたことが認識され、これに対応した処理を実行させることが可能となる。
【００３７】
また、複数の複数点押しスイッチＡａを解除した場合の処理については、例えばスイッチ１〜４が押されている場合において、スイッチ１及び２が離されるスイッチとして設定されている場合には、判定用スイッチデータ生成部１３によってスイッチ１〜４よりスイッチ１及び２を除いたスイッチ３，４の中点データＤ−３，４が判定用スイッチデータ１４として生成される。スイッチ１及び２が離された場合に、受け取ったスイッチが押された情報Ｅにはスイッチ３及びスイッチ４の中点が押された情報が入力され、判定用スイッチデータ１４のスイッチ３，４の中点データＤ−３，４との照合において、一致を認識することにより、スイッチ１及び２が離されたことが認識され、これに対応した処理を実行させることが可能となる。
【００３８】
したがって、複数の複数点押しスイッチＡａを押している状態より、任意の複数点押しスイッチＡａを離したことに対して、これに対応した制御処理を設定することが可能であるので、多種多様の処理内容を実現できる。
【図面の簡単な説明】
【００３９】
【図１】本願発明の第１の実施形態である表示器の本体構成図である。
【図２】同表示器におけるタッチパネル上のスイッチの配置の一例を示す図である。
【図３】同表示器におけるタッチパネル上のスイッチの配置と中点位置の一例を示す図である。
【図４】同表示器におけるメモリ部に格納されるスイッチデータの構成を示す図である。
【図５】同表示器における制御部の複数点押し処理部の構成を示す図である。
【図６】同表示器における複数点押しスイッチが押されたことに対応するシーケンスを示すフローチャートである。
【図７】同表示器における制御部の複数点押し処理部の構成を示す図である。
【図８】同表示器における制御部の複数点押し処理部の構成を示す図である。
【図９】同表示器における制御部の複数点押し処理部の構成を示す図である。
【図１０】同表示器における制御部の複数点押し処理部の構成を示す図である。
【図１１】同表示器における複数点押しスイッチが押されたことに対応するシーケンスを示すフローチャートである。
【図１２】同表示器におけるタッチパネル上のスイッチの配置と中点位置の一例を示す図である。
【図１３】本願発明の第２の実施形態である表示器における制御部の複数点押し処理部の構成を示す図である。
【図１４】同表示器における複数点押しスイッチが押されたことに対応するシーケンスを示すフローチャートである。
【図１５】本願発明の第３の実施形態である表示器における制御部の複数点押し処理部の構成を示す図である。
【符号の説明】
【００４０】
１  スイッチ部
２  表示部
３  メモリ部
４  通信用インターフェース部
５  制御部
６  タッチパネル
１１  複数点押し処理部
１２  スイッチＯＮ判定部
１３  判定用スイッチデータ生成部
１４  判定用スイッチデータ
１５  スイッチＯＮ記憶部
１６  複数点ＯＮ記憶部
１７  押された順番記憶部
１８  押し順判定部
Ａ  スイッチオブジェクト
Ａａ  複数点押しスイッチ
Ａｂ  通常スイッチ
Ｂ  中点
Ｃ  スイッチデータ
Ｄ  中点データ
Ｅ  スイッチが押された情報Ｅ
Ｆ  複数点押し設定
Ｇ  押された順番データ
Ｈ  押し順データ
【図１】
2008003888.tif 000003
【図２】
2008003888.tif 000004
【図３】
2008003888.tif 000005
【図４】
2008003888.tif 000006
【図５】
2008003888.tif 000007
【図６】
2008003888.tif 000008
【図７】
2008003888.tif 000009
【図８】
2008003888.tif 000010
【図９】
2008003888.tif 000011
【図１０】
2008003888.tif 000012
【図１１】
2008003888.tif 000013
【図１２】
2008003888.tif 000014
【図１３】
2008003888.tif 000015
【図１４】
2008003888.tif 000016
【図１５】
2008003888.tif 000017